(57)【特許請求の範囲】
【請求項１】
細長い矩形状の札片の長手方向に、７本の折り線を表示  して８個の折り面を形成する札片とし、その札片に運勢文字表示を付すとともに、前記折り線を表示した札片を二つ折りし、さらに二つ折りして４枚重ねして、前記運勢文字表示を外した余白部分を貫通して切り抜き、４個の通し穴を施した構成を特徴とする着脱が簡単なおみくじ札。
【請求項２】
前記する札片に４個施した通し穴が、それぞれ左右２個を繋ぐ連結切れ目を施して成る請求項１に記載する着脱が簡単なおみくじ札。
【請求項３】
前記する札片の折り線が、圧押しによる折り目で形成される請求項１又は請求項２に記載する着脱が簡単なおみくじ札。
【発明の詳細な説明】
【技術分野】
【０００１】  本発明は、神社仏閣等で購入するおおみくじ札を小枝や柵に結び付けるのが簡単で、かつ取り外して処理するのも容易なおみくじ札に関する。
【背景技術】
【０００２】  従来より、おみくじ札を購入した際は札を開いてから、その札に記されている金運や結婚運・健康・仕事運等の運勢を見て後、本人にとって嬉しい内容の運勢の場合は記念にお守りとして持ち帰る人もおり、また良い運勢の人は願が成就するように神社の小枝に結び付けると成就すると言われたり、そうでない場合は厄祓いする等の習わしにより神社仏閣の小枝や柵に結び付けることが古くから行われている。【０００３】  また小枝や柵に結び付けたりした神社仏閣側は、一定期間過ぎた後は一つ一つ取り外して集めてから御祓いをした後に焼却処分する必要があるので、それらのおみくじ札が取り外し易いように、長方形のおみくじ札の中ほどにミシン目を施した本出願人によるミシン目付きおみくじ札の技術が提供されている。（例えば、特許文献１参照）【０００４】
【特許文献１】実用新案登録第３０２４８５３公報
【発明の開示】
【発明が解決しようとする課題】
【０００５】  従来、一般的に用いられているおみくじ札は、長方形の紙片に複数の運勢を表示したものを折りたたんでから販売し、購入者は札を開いてから内容を見て一喜一憂した後良い運勢の札はその願いが成就するように細く折りたたんでから小枝に結び付け、そうでない札の場合は厄祓いのために神社の小枝や柵に結び付けるが、その後、神社側ではそのままでは一杯になるし風雨に晒されて古くなると見た目も悪いので、一定期間過ぎた後は一つ一つ取り外して集めてから御祓いをして後に焼却処分するが、一々取り外すのは大変面倒で手間も掛りコストも要するなどの不便や欠点がある。【０００６】  また実用新案登録第３０２４８５３公報に開示する技術は本出願人によるものとして長方形状のおみくじ札の中ほどにミシン目を施すことで枝から取り外し易い効果がある。一定期間風雨にさらされるとミシン目部位から自然に分離して落ちたり、手で引っ張るだけで取り外せるユニークなおみくじ札であるが、以下のような欠点があった。【０００７】  このミシン目付きおみくじ札は、ミシン目の間隔が少し広い場合は細長く折りたたんで小枝に結び付けられるが、取り付けた後に手で引っ張って取り外す際はミシン目から切り外せにくいこともある。またミシン目の間隔が狭い場合は、小枝に結び付ける際に切れ易くなったりして強く結び付けられないなどの不便や欠点があった。
【課題を解決するための手段】
【０００８】  本発明は従来のこのような不便や欠点を解消するために、請求項１においては、細長い矩形状の札片の長手方向に、７本の折り線を表示して８個の折り面を形成する札片とし、その札片の一方に運勢文字表示するとともに、前記折り線を表示した札片を二つ折りし、さらに二つ折りして４枚重ねして成る前記運勢文字表示と対向する折り面に、切り抜いて成る４個の通し穴を施したおみくじ札とする。【０００９】  請求項２においては、前記する札片に４個施した通し穴が、左右それぞれ２個を繋ぐ連結切れ目を施したおみくじ札とする。【００１０】  請求項３においては、前記する札片の折り線が、圧押しによる折り目で形成するおみくじ札とする。
【発明の効果】
【００１１】  本発明によるおみくじ札は、細長い矩形状の札片に運勢文字を表示するとともに、そのおみくじ札の文言を見終わった後に細く折りたたんで小枝結び留めるには、折りたたんだ一方に設けた通し穴に他方側の端部を差し込んでから引っ張るだけで良いので、子供や高齢者でも簡単に小枝や柵に結び留められる今までには見られないユニークなおみくじ札である。【００１２】  また枝に留めたおみくじ札は一定期間経つと、神社仏閣側では小枝から取り外して後に御祓いして焼却することになるが、その取り外しする際は結び札のどちらか一方を摘まんで引っ張るだけで簡単に取り外せるため、また小枝一杯に数多く結び留められても、従来に比べて取り外し作業や焼却処理コストも安価にできるおみくじ札を形成する。【００１３】  さらに、このおみくじ札は細く折りたたんだ下端部を通し穴に差し込んで引っ張るだけでよいので、細い小枝はもとより太い枝にも対応できるため、例えば、手がかじかむ寒い冬でも手袋を脱がなくても簡単に結び留められるし、また雨が降る中傘を差したままでも結び留められる。加えて裏面には折り留め方の図とともに、地域の商店や会社の宣伝スペース欄を設けると気軽に宣伝に利用できるので、地域の町おこし村起こしの宣伝媒体としても貢献する着脱が簡単なおみくじ札を広く提供することができる。【００１４】
【図面の簡単な説明】
【００１５】
【図１】本発明による実施例１のおみくじ札を示す平面図である。
【図２】本発明の実施例１のおみくじ札を、細くおりたたむために中央の折り線部から二つ折りし、さらに下半分を三つ折りした参考図である。
【図３】本発明による実施例１のおみくじ札を、細く折ってから輪状にする方法を示す参考図である。
【図４】本発明による実施例１のおみくじ札を枝に結び留めた状態を示す参考図である。
【図５】本発明による実施例２のおみくじ札を示す平面図である。
【図６】本発明による実施例２のおみくじ札を、小枝に結び付けるために細く折りたたむ手順を（イ）（ロ）（ハ）（ニ）図に示す参考図である。
【発明を実施するための最良の形態】
【００１６】  本発明によるおみくじ札は、細長い矩形状の札片の一方に運勢文字を表示し、その対向側に、前記した運勢文字を表示した札片を差し込める通し穴を設けることで、簡単に小枝や柵に結び付けられ、かつ所定期間経ったら取り外して処理するのも容易なおみくじ札を構成する。以下、その各実施例を詳述する。
【実施例１】
【００１７】  本発明による実施例１のおみくじ札を、図１の平面図と図２に示す折りたたみ状態図と図３に示す結び状態図、図４に示す小枝に取り付けた使用例参考図で説明する。【００１８】  実施例１によるおみくじ札１は、細長い矩形状の札片２の長手方向に、点線又は薄い色の７本の折り線３，３を表示して８個の折り面４，４を形成する札片２の一方に運勢文字表示５をするとともに、その札２の中央の折り線３を二つ折りし、さらに二つ折りして４枚重ねを成す折り面４に、前記運勢文字表示５の対向部位に、前記運勢文字表示４側の折りたたみ端部を差し入れる４個の通し穴６，６を施して成るおみくじ札１を構成する。【００１９】  尚、前記の通し穴６はハート型であるが、円形型や星型又はそれ以外の形状の穴でも構わない。また、前記する折り線は３は、札片２を細長く折りたたむ目安であるが、押し圧による折り目を施してもよい。さらに前記運勢文字表示５を表示した裏面には特に図示説明していないが、このおみくじ札１を細く折りたたむ説明図とともに宣伝スペース欄を設けるものとする。【００２０】  実施例１のおみくじ札１は、細長い札片２の一方に複数項目の運勢文字表示５を表示し、その対向側の折り面４に通し穴６を施しているので、細く折りたたんで小枝Ａに結び留める場合は、図２に示すように折りたたんだ運勢文字表示４側を細くしてから図３のように通し穴６に差し込んで引っ張ると輪が小さくなるため、図４のように枝Ａに結び留められる。尚、図は運勢文字表示５側端部を曲げてそのまま対向する通し穴６に差し込んでいるが、半周して裏側から差し入れても結び留められるおみくじ札１を形成する。加えて、折りたたんだおみくじ札１は通し穴６に入れて引っ張ることにより締め付けられるので、細い枝はもとより太い枝など太さを選ばず結び留められる。
【実施例２】
【００２１】  本発明による実施例２のおみくじ札を図５に示す平面図と図６に示す小枝に結び付けるために細く折りたたむ手順を（イ）（ロ）（ハ）（ニ）図に示す参考図で説明する。【００２２】  実施例２のおみくじ札１は、前記実施例１と基本的には同じであるが小枝に結ぶ時に通し穴６Ａに通す方法が異なる。まずおみくじ札１の平面図は、前記実施例１と同様に細長い矩形状の札片２の長手方向に７本の折り線３，３を表示して８個の折り面４を形成する札片２の一方に運勢文字表示５を表示するとともに、その運勢文字表示５の対向側には、中央の折り線３を二つ折りし、さらに二つ折りした折りした４枚重ねの折り面４に、楕円状の通し穴６Ａ施すと、図１に示す平面図のように４個の通し穴６Ａ，６Ａを形成し、さらにその左右２つの通し穴６Ａ，６Ａを繋ぐように連結切れ目７，７を施して成る実施例２のおみくじ札１を構成する。【００２３】  実施例２のおみくじ札１は、運勢文字表示５した対向側に楕円状の通し穴６Ａ，６Ａを４個設けるとともに、その左右二つの通し穴６Ａ，６Ａを連結する連結切れ目６を施したおみくじ札１を形成するので、小枝に結び留める際は（イ）図のように二つ折りし、さらに（ロ）図のように二つ折した上で、通し穴６Ａの下部を二折りすると（ハ）図のように細くなり、その上で上端部の折り目の間から通し穴６Ａに運勢文字表示５側端部を曲げて（ニ）図のように差し入れて通し穴６Ａの下方に引き出すと、輪状を成すおみくじ札６Ａは小さくなって小枝に結び留められるおみくじ札１を形成する。【００２４】  本発明によるおみくじ札１に表示した折り線３は、長手方向を細長く折りたたむための目安であるが、紙質によっては押し圧による折り目でもよいし、その長さも端から端まで表示しなくても差し支えないものであり、特に限定するものではない。
【符号の説明】
【００２５】１  おみくじ札
２  札片
３  折り線
４  折り面
５  運勢文字表示
６  通し穴
６Ａ  通し穴
７  連結切れ目
Ａ  小枝
【要約】
【課題】おみくじ札を枝に結ぶ際に、細くした札片を他方に施した通し穴に通すことにより簡単に結び留められるおみくじ札を提供する。
【解決手段】細長い矩形状の札片２の長手方向に、７本の折り線３を表示して８個の折り面４を形成する札片２とし、その札片２の一方に運勢文字表示５するとともに、前記折り線３を表示した札片２を二つ折りし、さらに二つ折りして４枚重ねして成る前記運勢文字表示５と対向する折り面４に、切り抜いた４個の通し穴６を施して成る着脱が簡単なおみくじ札１を構成する。
【選択図】図１【図１】
0004819975.tif 000002
【図２】
0004819975.tif 000003
【図３】
0004819975.tif 000004
【図４】
0004819975.tif 000005
【図５】
0004819975.tif 000006
【図６】
0004819975.tif 000007